(57)【要約】 【課題】 非接触ＩＣカードを支払いに加えた携帯型決済端末は、多機能化にともない印刷中に他のプログラムを動作させてしまうと十分なＣＰＵの処理能力、電力を確保できず顧客に渡るレシートなどの印刷がかすれてしまい印刷品位が悪化するおそれがあった。【解決手段】各種制御を行う制御部と印刷部と操作部とを有する携帯型決済端末であって、電子マネーを決済する非接触ＩＣカード通信部を備え、前記印刷部が前記決済の結果に対応した印刷中において前記制御部は、前記操作部による操作を制限することを特徴とする携帯型決済端末を用いることで解決できる。【選択図】図４
2011253410.tif 000002
【特許請求の範囲】
【請求項１】
各種制御を行う制御部と印刷部と操作部とを有する携帯型決済端末であって、
電子マネーを決済する非接触ＩＣカード通信部を備え、前記印刷部が前記決済の結果に対応した印刷中において
前記制御部は、前記操作部による操作を制限することを特徴とする携帯型決済端末。
【請求項２】
前記制御部は、前記操作部の非接触ＩＣカード通信部への操作を禁止することを特徴とする請求項１に記載の携帯型決済端末。
【請求項３】
さらに、操作部による操作に対応した表示を行う表示部を備え、
前記印刷部が決済の結果に対応した印刷中において、前記制御部は表示部の表示の変化を禁止することを特徴とした請求項１または請求項２に記載の携帯型決済端末。
【請求項４】
さらに、前記操作部により操作される前記決済金額を決定するための情報読み取り部を備え、
前記印刷中において、前記制御部は、前記操作部による前記情報読み取り部への操作を禁止することを特徴とした請求項１から請求項３に記載の携帯型決済端末。
【請求項５】
さらに、前記情報読み取り部で読み取った情報に対応した対応情報を保存したサーバから前記対応情報をダウンロードする無線通信部とを備え、
前記印刷中において、前記制御部は、前記無線通信部による前記対応情報のダウンロードを禁止することを特徴とした請求項４に記載の携帯型決済端末。
【請求項６】
前記対応情報には、付加情報を含み前記印刷部により付加情報が印刷されることを特徴とした請求項５に記載の携帯型決済端末。
【請求項７】
各種制御を行う制御部と印刷部と操作部とを有する携帯型決済端末の制御をコンピュータに機能させるためのプログラムであって、
電子マネーを決済する非接触ＩＣカード通信部と前記操作部により操作される前記決済の金額を決定するための情報読み取り部とを備え、
前記印刷部が前記決済の結果に対応した印刷工程中において
前記制御部に、前記操作部による操作を制限することを特徴とする携帯型決済端末の制御プログラム。
【請求項８】
前記制御部に、前記操作部によるアプリケーションの起動を禁止することを特徴とする請求項７に記載の携帯型決済端末の制御プログラム。
【請求項９】
さらに、前記情報読み取り部で読み取った情報に対応した対応情報を保存したサーバから前記対応情報をダウンロードする無線通信部とを備え、
前記印刷工程中において、前記制御部に、前記無線通信部による前記対応情報のダウンロードを禁止することを特徴とした請求項７および請求項８に記載の携帯型決済端末の制御プログラム。
【発明の詳細な説明】
【技術分野】
【０００１】
本発明は持ち運び可能なプリンタ部を備えた携帯型決済端末および制御プログラムに関する。
【背景技術】
【０００２】
従来、決済端末においてＰＯＳシステムが広く使われている。ＰＯＳシステムとは一般に、ＰＯＳ端末にバーコードリーダを備え、購入される商品に付けられたバーコードを読み込み対応した商品コードを認識する。
【０００３】
現金での支払いにおいては釣銭が発生するため、販売店には釣銭の準備、顧客側は釣銭の受領という負担がある。そのため電磁誘導で発生した電流で動作するアンテナコイルを備えたプリペイド式の非接触式ＩＣカードが開発されている。そのため、非接触ＩＣカードに電子マネーを入金し、販売店で支払いを行える非接触ＩＣカードＲ／Ｗを備えたＰＯＳ端末が普及している。
【０００４】
また、電子決済の普及に伴い電子マネーも発行管理会社の異なる複数種類が存在するため特許文献１に記されるように、非接触ＩＣカードに入金された複数種類の電子マネーの支払いに対応したセルフレジシステムが知られている。
【０００５】
また、持ち運び可能な携帯型決済端末も知られる。プリンタ部を有する携帯型決済端末は、筐体内に格納したバッテリーの電力によってレシートを印刷するため、携帯型決済端末では電力消費の大きい印刷に関して様々な提案がなされている。
【０００６】
特許文献２に知られるように、バッテリーの電圧によって、印刷を不可としその後の処理も電圧に対応させることが記載されている。
【０００７】
近年は、携帯型決済端末においても携帯型決済端末に電磁誘導を利用した非接触ＩＣカードに記憶された電子マネーによる支払いが望まれ、磁界の発生や専用アプリケーションの起動など、ＣＰＵの負荷やバッテリー消費が増加している。
【先行技術文献】
【特許文献】
【０００８】
【特許文献１】特開２０１０−１５５３２公報
【特許文献２】特開２００３−１４０７８５公報
【発明の概要】
【発明が解決しようとする課題】
【０００９】
しかしながら、上述した特許文献１のＰＯＳ端末は、装置が大きく持ち運びができるようなものではない。特許文献２においては、バッテリーの電圧によって、印刷を行わない時の処理が記載されているが、他者に金額を証明する時など、レシートが必要な顧客にとっては、自動的にレシートが発行されないことは好ましくない。
【００１０】
また、携帯型決済端末が多機能化するにつれて、複数の機能を同時に動かした場合プログラムを実行するＣＰＵの負荷は増加し、電力の消費も増加する。印刷中に他のプログラムの動作を行うと十分なＣＰＵの処理能力、電力を確保できず、顧客に渡るレシートなどの印刷がかすれてしまい印刷品位が悪化するおそれがあった。そこで、本発明は上述した事情に鑑み、非接触ＩＣカード通信部とプリンタ部を備えた携帯型決済端末において、発券を行う際に印刷物がかすれにくい携帯型決済端末および制御プログラムを提供することを目的とする。
【課題を解決するための手段】
【００１１】
各種制御を行う制御部と印刷部と操作部を有する携帯型決済端末であって、電子マネーを決済する非接触ＩＣカード通信部とを備え、前記印刷部が前記決済の結果に対応した印刷中において、前記制御部は、前記操作部による操作を制限することを特徴とする携帯型決済端末を利用することで解決される。
【発明の効果】
【００１２】
本発明は、非接触ＩＣカード通信部とプリンタ部を備えた携帯型決済端末において、印刷中にＣＰＵ、バッテリーに係る負担を増加させないことによって、印刷物のかすれのおそれを減少させた印刷を行うことができる。
【図面の簡単な説明】
【００１３】
【図１】本発明を適用できる携帯型決済端末内の正面図である。
【図２】本発明を適用できる携帯型決済端末内のハードウェア構成図である。
【図３】本発明を適用できる携帯型決済端末の決済処理フローチャート１である。
【図４】本発明を適用できる携帯型決済端末の決済処理フローチャート２である。
【図５】本発明を適用できる携帯型決済端末により出力されたレシートである。
【図６】実施例１の携帯型決済端末のハードウェア構成図である。
【図７】実施例１の清算におけるフローチャートである。
【発明を実施するための形態】
【００１４】
以下に本発明を実施するための形態を図１〜図５に基づいて詳細に説明する。図１において、本発明を適用できる携帯型決済端末１００の正面図を示す。図２に本発明を適用できる携帯型決済端末１００のハードウェア構成を示す。
【００１５】
プロセッサであるＣＰＵ１０１、メモリであるＲＡＭ１０２、ＲＯＭ１０３、フラッシュメモリ１０７を備える。フラッシュメモリ１０７は、耐衝撃性、小型化、省電力性を備えたＮＡＮＤフラッシュメモリが好ましいが、使用条件によっては、ＨＤＤやＳＳＤなどの記録媒体でも構わない。
【００１６】
ＣＰＵ１０１は四則演算や比較演算等の各種の演算や、ハードウェアやソフトウェアの制御を行う。ＲＡＭ１０２には、フラッシュメモリ１０７や着脱式記録媒体Ｒ／Ｗ１１０に装着されたＳＤカード、ＣＦカード等の記憶媒体から読み出されたオペレーションシステム（ＯＳ）のプログラムや各種アプリケーションプログラム（アプリ）や様々なプログラムに必要な各種情報が読み出される。
【００１７】
ＣＰＵ１０１は、ＲＡＭ１０２にＯＳやアプリのプログラムや各種情報を読み込み、携帯型決済端末１００の制御部として動作する。
【００１８】
例えば、ＲＡＭ１０２は非接触ＩＣカードで決済するためのプログラムや不図示のネットワークを介してサーバから携帯決済端末１００へ各種情報を受信するアプリや各種情報が記憶されこれらはＣＰＵ１０１の制御の下に実行される。
【００１９】
ＲＯＭ１０３は、ＯＳと協働してフラッシュメモリ１０７への入出力を司るいわゆるＢＩＯＳ等が記憶される。
【００２０】
携帯型決済端末１００に入力を行う操作部１０４、携帯型決済端末１００の選択画面などの画像表示を行う表示部１０５、操作部１０４と表示部１０５はタッチパネルシートとディスプレイを貼り合わせて、タッチディスプレイとしてもよい。不図示の電源スイッチが操作部１０４と別に設けられている。ただし、ＯＳを終了させることで電源を切ることができるので、操作部１０４の操作により電源を切ることもできる。
【００２１】
操作部１０４は、携帯型決済端末１００の各種機能の選択や実行を行う。各種機能の専用のボタンを用いてもよいし、表示部１０５の表示内容に合わせてＣＰＵ１０１は適宜操作の結果を変更できるようにしてもよい。
【００２２】
また携帯型決済端末１００は、電話回線や無線ＬＡＮなどを利用して外部ネットワークと情報をやり取りする無線通信部１０６を備える。無線通信部１０６は、ＣＰＵ１０１によって制御されるＯＳの通信プログラムやアプリと協働してネットワークを介した外部との通信を行う。
【００２３】
印刷を行うプリンタ部１０８は、携帯性の面からサーマルプリンタが好ましいが、ドットインパクト、インクジェットなどの方式でも構わない。
【００２４】
非接触ＩＣカードＲ／Ｗ１０９は、コイルに電流を流すことで磁界を発生させ、電磁誘導により非接触ＩＣカードに起電力を発生させる。非接触ＩＣカードは、その起電力により金額などの情報を発信する。記憶された電子マネーに対して電子決済を行う非接触ＩＣカードＲ／Ｗ１０９は、複数の電子マネーの電子決済に対応している。ＳＤカードやＣＦカードに情報の読み書きを行う着脱式記録媒体Ｒ／Ｗ１１０は複数のスロットを備えれば様々なカードに対応させることができる。
【００２５】
情報を読み込む情報読み取り部１１１はそれぞれシステムバス１１２を介して互いに接続されている。情報読み取り部１１１は、バーコードリーダであれば、バーコード、２Ｄスキャナであれば、ＱＲコード等も読み込むことができる。情報読み取り部１１１が撮像装置であれば、ＯＣＲ認識や複数の撮像装置による立体認識も可能である。またＩＣタグリーダを用いてもよい。いずれの場合も、光、規格に沿った電磁波の帯域などを読み取り時に情報読み取り部１１１から発し、読み取り対象から反射または応答した電磁波を受信することで情報を読み取ることができる。また複数情報読み取り部を備えることや磁気カードリーダで、磁気カードを読み取ることもできる。
【００２６】
システムバス１１２は、例えば、ＰＣＩバス、ＰＣＩｅバス、メモリバス等を意味する。各バス間の接続用チップやいわゆるＵＳＢのような入出力用インタフェースは省略している。バッテリー１１３は、ＣＰＵ１０１の制御に応じて、電源ラインを介して携帯型決済端末１００の各部へ電力を供給する。各部に接続される電源ラインは省略する。
【００２７】
ＣＰＵ１０１は、情報読み取り部１１１によって読み込んだ情報に対応した対応情報をいずれかの記録媒体や無線通信部１０６により接続された外部ネットワークのサーバからダウンロードし、ＲＡＭ１０２に出力する。ＲＡＭ１０２に出力された情報で領収書として、印刷することを予め設定された情報や操作部１０４により印刷することを選択された情報は、ＣＰＵ１０１によって、印刷手段であるプリンタ部１０８により印刷を行う。
【００２８】
ここで、対応情報とは、商品の金額や決済時に必要としないサービス等の情報も含む。対応情報の中でも、商品の性質やクーポンの情報など決済を行う際のサービス等の情報は付加情報とする。
【００２９】
また、フラッシュメモリ１０７や、着脱式記録媒体Ｒ／Ｗ１１０に装着された不揮発性記憶媒体に記憶された各種情報はＣＰＵ１０１の制御の下、ＲＡＭ１０２を利用して対応情報の書き換えを行うことができる。
【００３０】
情報読み取り部１１１は、操作部１０４の操作に対応して、情報読み取り部１１１で読み込み可能な情報の読み込みを行う。
【００３１】
つまり、無線通信部１０６、非接触ＩＣカード読み取り部１０９、情報読み取り部１１１は、ＣＰＵ１０１の制御の下、各々電磁波を用いて外部にある情報を直接または、読み取った情報を変換しＲＡＭ１０２出力する。
【００３２】
ＣＰＵ１０１は、いずれかの記録媒体に記憶された１種または複数のアプリを使用してアプリに対応した非接触ＩＣカードから、非接触ＩＣカードＲ／Ｗ１０９により電子決済を行う。ＣＰＵ１０１は、アプリまたはＯＳの機能を利用して、プリンタ部１０８により印刷を行う前に、携帯型決済端末１００の機能に対して制限を行う。
【００３３】
図３及び図４に、本発明の実施の形態における決済のフローチャートを示す。
【００３４】
Ｓ１０１において、携帯型決済端末１００を操作部１０４で操作し、情報読み取り部１１１を読み取り対象を読み取り可能な状態に起動する。
【００３５】
Ｓ１０２において、操作部１０４を操作することにより、携帯型決済端末１００は、情報読み取り部１１１から情報の読み込みを行いＲＡＭ１０２に出力する。ＣＰＵ１０１は、読み込んだ情報に対応した対応情報をフラッシュメモリ１０７、または、着脱式記録媒体Ｒ／Ｗ１１０に装着された不揮発性記憶媒体からＲＡＭ１０２に読み込み、対応情報で表示される設定がなされているものを表示部１０５に表示する。無線通信が行える場合は無線通信部１０６により外部のサーバから対応情報をダウンロードする。
【００３６】
Ｓ１０３において、読み取り対象を更に選択するか表示部１０５に表示する。操作部１０４により読み取り対象をさらに選択する場合は、Ｓ１０２にもどる。商品の選択を終了することを操作部１０４で選択した場合は情報読み取り部１１１の起動を解除し読み取り不可な休止状態としてＳ１０４へ進む。
【００３７】
Ｓ１０４において、表示部１０５で使用する非接触ＩＣカードを選択する画面が表示される。操作部１０４で支払いに使用したい非接触ＩＣカードを選択するとＳ１０５へ進む。
【００３８】
Ｓ１０５において、他の非接触ＩＣカードを使用するかの選択画面が表示部１０５に表示される。２枚以上の非接触ＩＣカードを使用する場合は操作部１０４によりＹＥＳを選択しＳ１０４にもどる。選択した非接触ＩＣカードで決済に進む場合は、ＮＯを選択しＳ１０６へ進む。
【００３９】
Ｓ１０６において、ＣＰＵ１０１は使用される電子マネーの決済に対応したアプリを起動し、非接触ＩＣカードＲ／Ｗ１０９を読み取り可能な状態にする。Ｓ１０４で選択した非接触ＩＣカードのアプリが複数のアプリを必要とする場合、選択された順番にアプリを起動させる。アプリが起動して非接触ＩＣカードを各々対応したアプリの起動中に非接触ＩＣカードＲ／Ｗ１０９の磁界の届く範囲を通過させる。非接触ＩＣカードは、非接触ＩＣカードＲ／Ｗ１０９の発生させた磁界を通過すると電磁誘導により動作電力を得て、電磁波を発し非接触ＩＣカードＲ／Ｗ１０９と非接触通信を行う。その結果、表示部１０５は電子マネーの入金額を読み込み表示させる。このとき商品合計金額も表示部１０５に表示されている。
【００４０】
決済を行うかの確認画面でＹＥＳを選択し、非接触ＩＣカードを一枚しか選択していない場合の動作を説明する。
【００４１】
決済を行うことに同意すると非接触ＩＣカードＲ／Ｗ１０９の読み取り範囲に選択した非接触ＩＣカードを通過させると金額を読み込み、決済後の残高を非接触ＩＣカードに送信しＳ１０７へ進む。
【００４２】
複数の非接触ＩＣカードを選択していた場合は、各々の使用金額を操作部１０４で選択し、決済を行うことを決定する。その後、各々の非接触ＩＣカードを再度、非接触ＩＣカードＲ／Ｗ１０９の読み取り範囲に選択した非接触ＩＣカードを通過させ各々の金額を読み込み決済後の残高を各々の非接触ＩＣカードに送信する。残高を送信し終わると非接触ＩＣカードＲ／Ｗ１０９の磁界の発生を中止して、Ｓ１０７に進む。ここで決済を行わないことを選択した場合は、Ｓ１０８へ進む。
【００４３】
Ｓ１０７において、表示部１０５に、決済の結果を発券するかの選択画面を表示される。操作部１０４でＹＥＳを選択するとＳ１０９に進みＮＯを選択すると一連の決済動作を終了し、次の決済を行うことができるようになる。
【００４４】
Ｓ１０８において、表示部１０５に選択のやり直しは、商品か非接触ＩＣカードであるかの選択画面が表示される。操作部１０４で非接触ＩＣカードを選択した場合Ｓ１０４に戻り、選択した商品の情報は保存され、非接触ＩＣカードの情報は消去される。商品を選択した場合Ｓ１０２へ進む。Ｓ１０２に戻る際、それまでのステップで選択された商品、選択された非接触ＩＣカードの情報は消去される。
【００４５】
Ｓ１０９において、情報読み取り部１１１で、読み取った対応情報の中から付加情報を選択する選択画面が表示部１０５に表示され、操作部１０４で選択を行うことができる。情報読み取り部１１１で複数の商品を読み取った場合は、各々の付加情報が表示される。複数選択することも可能である。このときの操作でレシートが不要で付加情報のみが必要であるという設定も行うことができる。
【００４６】
Ｓ１１０において、無線通信部１０６が接続先を探して電波を発している状態であれば、電波の発生を停止する。無線通信部１０６がいずれかのサーバと接続中であれば、接続を切断し新たにサーバを検索する電波を発生させることも停止する。電波の発生を終了させるとＳ１１１へ進む。
【００４７】
Ｓ１１１において、バックライトの輝度を事前に設定した任意の設定値に減少させる。このとき、完全に消してしまうことも可能である。輝度の減少量をバッテリー残量に対応させる設定も行える。
【００４８】
Ｓ１１２において、表示部１０５に印刷中ということと印刷を中止するための操作を示した静止画を表示させ、カーソル等の移動も禁止する。
【００４９】
Ｓ１１３において、ＣＰＵ１０１は現在起動していないアプリの起動を禁止するアプリをいずれかの記憶媒体からＲＡＭ１０２に読み込み実行する。ＯＳのサービスを用いて行うこともできる。そのため、情報読み取り部１１１により読み取り対象から情報を読み取る操作を操作部１０４から行えない。また、同様に非接触ＩＣカードＲ／Ｗ１０９が磁界を発することも禁止される。
【００５０】
Ｓ１１４において、ＣＰＵ１０１はプリンタ部１０８で決済結果の印刷を開始する。印刷を終え、表示部１０５に印刷終了の表示が現れる。印刷が終了し表示部１０５は待機画面を表示すると、印刷中は携帯型決済端末１００で禁止されていた機能の禁止が解除される。
【００５１】
図５に、付加情報選択画面で、商品Ａの付加情報として、生産者、生産地、含有アレルギー物質と商品Ａのクーポン情報を選択して印刷されたレシートを例示する。
【００５２】
以上説明したように、本実施形態によれば、印刷中に操作部１０４は制限を受けるので、印刷がかすれてしまうことを軽減することができる。操作部１０４を動かしカーソルを動かすような場合も、表示部１０５の表示を変更させるために、ＣＰＵ１０１の処理を必要とする。印刷中の表示に静止画を用いて、カーソルが動かないようにすることでも効果がある。
【００５３】
機能の禁止及び制限の順番は適宜変更可能であり、ＣＰＵの使用率に応じて、印刷時の負荷が印刷物のかすれを起こさない程度であれば行う制限を事前に選択することができる。
【００５４】
新たにアプリを立ち上げると、ＣＰＵ１０１は、プログラムの記憶媒体からのＲＡＭ１０２に読み込み実行するため、携帯型決済端末１００の各部との連携が必要になる。そのためＣＰＵ１０１の負荷が特に増大する。新たなアプリケーションの起動を制限すると、ＣＰＵ１０１は処理能力、バッテリー１１３からの電力をプリンタ部１０８に集中できるため、印刷がかすれてしまうといった状況を回避しやすい。
【００５５】
非接触ＩＣカードＲ／Ｗ１０９への操作部１０４での操作は、プログラムの立ち上げ、読み取りのための磁界の発生、非接触ＩＣカードのからの応答を受信し、読み取り金額を差し引きし支払い後の残高を非接触ＩＣカードに書き込みを行うことまでを含む。
【００５６】
情報読み取り部１１１への操作部１０４での操作は、プログラムの立ち上げ、読み取りのための電磁波の発生、ＲＡＭ１０２への出力、ＲＡＭ１０２への対応情報の出力までを含む。
【００５７】
無線通信部１０６への操作部１０４での操作は、プログラムの立ち上げ、ネットワークとの接続のための電磁波の発生、ネットワークの内のサーバから情報をダウンロードし電磁波を受信してＲＡＭ１０２への対応情報の出力までを含む。
【００５８】
さらに、非接触ＩＣカードＲ／Ｗ１０９のアプリを立ち上げ読み取り状態まで進むと、アプリ実行の負荷と電磁誘導のための電力も使用してしまう。
【００５９】
また、情報読み取り部１１１も、読み取りのためにＣＰＵ１０１の処理能力を必要とし、電磁波を発生するため電力を消費する。
【００６０】
無線通信部１０６もサーバと接続するためには常に電磁波を発する必要があるため電力を消費する。サーバに接続されていない場合も無線通信部１０６が機能していると接続先を探すために広範囲に電磁波を発する必要があるためより多くの電力を必要とする。
【００６１】
さらに、付加情報も印刷し印刷時間が長い場合には、機能を制限し印刷している時間の長さに比例して節電効果が高まる。また無線通信により付加情報を得るためのブラウザなどのアプリを付加情報のダウンロードが終わると自動的に終了させ、起動を制限することでも、印刷中のＣＰＵ１０１の負荷は低減する。
【００６２】
本発明の実施の形態では、非接触ＩＣカードはプリペイド式であるため、必要な情報を携帯型決済端末内に備えれば、無線通信が行えない場所などでも支払いを行い、レシートを印刷して、顧客が残高を気にせず安心して買い物することができる。また非接触ＩＣカードで決済を行えるため携帯型決済端末にカードを挿入せずに、決済を行うことができ、顧客利便性も高く、販売員も迅速に決済を行うことができる。売り上げ情報等は、携帯型決済端末のいずれかの記憶媒体に記憶し、販売後にＰＯＳシステムに出力を行えばよい。着脱式記録媒体Ｒ／Ｗ１１０に装着された不揮発性記憶媒体に記録し、状況に応じて取替えを行えば、大容量の販売管理情報の移動が簡便である。
【００６３】
さらに、顧客は、購入前に非接触ＩＣカードの残高を確認でき、購入後も非接触ＩＣカードの残高を記したレシートを保存しておくことで、残高が分からなくなる不便さを減らすことができる。また他者に支払いを証明する場合にも使用できる。
【００６４】
加えて、付加情報は任意に設定可能である。付加情報が画像データである場合、印刷をかすれないで行えることは顧客満足度の向上につながる。
【実施例１】
【００６５】
第１の実施例は、切符の清算端末として本発明を適用しうる携帯型決済端末を利用した場合に関する。
【００６６】
図６に携帯型決済端末２００のハードウェア構成を示す。ＣＰＵ２０１の各部の制御方法は、図１の制御方法と同様である。支払い金額を決定するための情報読み取り部が複数あり、操作部と表示部がタッチディスプレイ２０５として情報の入出力が同じ部位に設けられていることが異なる。磁気リーダ２０８または２Ｄスキャナ２１１から読み取られた内容を各々ＣＰＵ２０１により処理しタッチディスプレイ２０５に表示を行う。本実施例において、情報の読み込み手段は、磁気リーダ２０８または２Ｄスキャナ２１１となる。２Ｄスキャナ２１１は、カメラ等の撮像部で構成されている。フラッシュメモリ２０７もしくはＳＤカードＲ／Ｗ２１０に装着されたＳＤカードに切符のテンプレートが保存されている。２Ｄスキャナ２１１で読み取りを行う場合、切符という定型的なものを読み取るため、テンプレートを保持しテンプレートとの比較により、文字認識精度を向上させている。
【００６７】
以下に電車内での清算におけるフローチャート図７を用いて説明する。乗客が、特急券を購入もしくは切符の精算を希望する。
【００６８】
Ｓ２０１において、磁気リーダ２０８または２Ｄスキャナ２１１にて切符の読み取りを行う。磁気リーダ２０８で読み取った場合は、直接、磁気リーダ２０８で読み取った情報をＣＰＵ１０１で処理することができる。２Ｄスキャナ２１１で読み取った場合は、読み取った画像は、ＳＤカードＲ／Ｗ２１０に装着されたＳＤカードに保存されている切符のテンプレートと比較し、ＯＣＲ認識が行われる。認識結果によって、提示された切符の乗車駅や降車駅を特定する。これら処理は、ＲＡＭ２０２に読み込まれたアプリをＣＰＵ２０１が実行することで行われる。
【００６９】
Ｓ２０２において、清算のための情報である降車駅や特急券の有無などを聞き取り、タッチディスプレイ２０５により清算に必要な情報の入力を行う。その結果、ＣＰＵ２０１はタッチディスプレイ２０５に清算金額を表示する。
【００７０】
Ｓ２０３において、ＣＰＵ２０１は、非接触ＩＣカードの決済のためのアプリを実行し、非接触ＩＣカードＲ／Ｗ２０９により非接触ＩＣカードの残高を読み取る。
【００７１】
Ｓ２０４において、ＣＰＵ２０１はＳ２０３で読み取った非接触ＩＣカードの残高をタッチディスプレイ２０５に表示する。
【００７２】
Ｓ２０５において、ＣＰＵ２０１は残高と清算金額の比較を行う。残高が足りている場合は、タッチディスプレイ２０５に清算の決定と指定席選択を行うかの選択画面を表示する。タッチディスプレイ２０５で清算の決定を選択することによってＳ３０６へ進む。さらに、指定席を発券する場合はタッチディスプレイ２０５で指定席選択の表示を選択し、Ｓ２０９へ進む。ここで、ＣＰＵ２０１は、乗車券の清算を行った残高から購入できる指定席が存在しない場合は、指定席選択の表示を行わない。
【００７３】
Ｓ２０６において、ＣＰＵ２０１は、決済処理後の非接触ＩＣの残高をタッチディスプレイ２０５に表示し、非接触ＩＣカードＲ／Ｗ２０９で決済金額に基づいた支払い後の残高を非接触ＩＣカードに書き込む。
【００７４】
Ｓ２０７において、タッチディスプレイの表示部分２０５全体に印刷中、印刷中止をするにはここをタッチしてくださいという静止画の表示を行う。タッチディスプレイ２０５は、表示されたデータに対応した入力をＣＰＵ２０１に行うので、タッチディスプレイ２０５は印刷中止の操作しか行えない。従って、タッチディスプレイ２０５からの入力による新たなアプリケーションの起動は制限される。
【００７５】
ここで、制限されるアプリは、磁気リーダ、２Ｄスキャナを操作するアプリ等であり、ＯＣＲやブラウザなども起動できなくなる。
【００７６】
Ｓ２０８において、決済した内容に従った乗車券、特急券、指定席などの切符をサーマルプリンタ２０６により発券する。一般に清算乗車券や特急券も支払い金額は印字される。この場合も乗車駅、区間、下車駅情報等に対応した付加情報を追加できる。清算後の下車駅でのクーポン情報や地図、乗り換えが必要であれば乗り換えの時刻情報等を追加できる。
【００７７】
Ｓ２０９において、ブラウザを含む専用アプリを起動し、ＰＨＳアンテナ２０６により、車内指定席予約管理サーバに接続する。タッチディスプレイ２０５に表示される画面で、該当する列車予約画面を選択する。
【００７８】
Ｓ２１０において、乗客の所望とする座席の選択を行い。清算券と指定席券を支払った後の残高がタッチディスプレイ２０５に表示され、清算決定を選択するとＳ２０６へ進む。
【００７９】
本実施例において、画像を扱う２Ｄスキャナや撮影画像を認識するＯＣＲ認識ソフト、無線通信を利用したブラウザなどは扱うデータのサイズが大きく、印刷中は使用を制限することで、印刷をかすれずに行うことができる。
【００８０】
印刷中にタッチディスプレイ２０５の全面に表示することで印刷と表示を除いた全ての動作を禁止し、タッチディスプレイ２０５から印刷中止以外の動作を行えなくすることができる。路線ごとにＳＤカードを取り替えると付加情報の充実を行いやすい。
【００８１】
本実施例では読取対象を切符とし列車を用いたが、形式の決まっているチケットであれば本発明の思想を応用可能であり、航空機の乗り継ぎ変更や、コンサートの座席変更等の場合にも応用することができる。
【符号の説明】
【００８２】
１００  携帯型決済端末
１０１  ＣＰＵ
１０４  操作部
１０５  表示部
１０６  無線通信部
１０７  フラッシュメモリ
１０８  プリンタ部
１０９  非接触ＩＣカードＲ／Ｗ
１１１  情報読み取り部
１１３  バッテリー
【図１】
2011253410.tif 000003
【図２】
2011253410.tif 000004
【図３】
2011253410.tif 000005
【図４】
2011253410.tif 000006
【図５】
2011253410.tif 000007
【図６】
2011253410.tif 000008
【図７】
2011253410.tif 000009